(57)【要約】本発明は記録された多重再生経路ビデオデータの再生を管理するためのデータ構造を有する記録媒体、前記データ構造の記録及び再生方法及び装置に関する。前記記録媒体には前記記録媒体に記録された少なくとも多重再生経路ビデオデータの再生を管理するデータ構造が含まれる。前記記録媒体のデータ領域には少なくともビデオデータストリームのクリップファイルが保存されて、各クリップファイルは前記ビデオデータストリームで共通再生経路部分と特定再生経路部分のうちいずれか一つと連係される。
2006507620.tif 000002
【特許請求の範囲】
【請求項１】
記録媒体に記録される少なくとも多重再生経路ビデオデータの再生を管理するためのデータ構造を有する記録媒体において、
少なくともビデオデータストリームのクリップファイルを保存するデータ領域を含んで構成されて、ここで
各クリップファイルは前記ビデオデータストリームで共通再生経路部分と特定再生経路部分のうちいずれか一つと連係されることを特徴とする記録媒体。
【請求項２】
第１項において、
前記クリップファイルはインターリーブされることを特徴とする記録媒体。
【請求項３】
第２項において、
特定再生経路部分と連係されるクリップファイルは共通再生経路部分と連係されるクリップファイル間にインターリーブされることを特徴とする記録媒体。
【請求項４】
第２項において、
前記クリップファイルは前記クリップファイルを再生する間再生装置のバッファーがアンダーフローされないようにするサイズを有することを特徴とする記録媒体。
【請求項５】
第４項において、
前記クリップファイルは前記クリップファイルを再生する間再生装置のバッファーがオーバーフローされないようにするサイズを有することを特徴とする記録媒体。
【請求項６】
第５項において、
共通再生経路部分と特定再生経路部分の等しいことが、クリップファイルを再生する間再生装置のバッファーがオーバーフローされないようにするクリップファイルサイズを超過するデータを含む場合、一つより多くのクリップファイルが、前記共通再生経路部分と前記特定再生経路部分の前記等しいことと連係されることを特徴とする記録媒体。
【請求項７】
第２項において、
前記クリップファイルは前記クリップファイルを再生する間再生装置のバッファーがオーバーフローされないようにするサイズを有することを特徴とする記録媒体。
【請求項８】
第７項において、
共通再生経路部分と特定再生経路部分の等しいことが、クリップファイルを再生する間再生装置のバッファーがオーバーフローされないようにするクリップファイルサイズを超過するデータを含む場合、一つより多くのクリップファイルが、前記共通再生経路部分と前記特定再生経路部分の前記等しいことと連係されることを特徴とする記録媒体。
【請求項９】
第１項において、
前記クリップファイルは前記クリップファイルを再生する間再生装置のバッファーがアンダーフローされないようにするサイズを有することを特徴とする記録媒体。
【請求項１０】
第１項において、
前記クリップファイルは前記クリップファイルを再生する間再生装置のバッファーがオーバーフローされないようにするサイズを有することを特徴とする記録媒体。
【請求項１１】
第１０項において、
共通再生経路部分と特定再生経路部分の等しいことが、クリップファイルを再生する間再生装置のバッファーがオーバーフローされないようにするクリップファイルサイズを超過するデータを含む場合、一つより多くのクリップファイルが、前記共通再生経路部分と前記特定再生経路部分のうち等しいいずれか一つ前記等しいことと連係されることを特徴とする記録媒体。
【請求項１２】
少なくとも多重再生経路ビデオデータの再生を管理するためのデータ構造を記録媒体に記録する方法において、
少なくともビデオデータストリームのクリップファイルを前記記録媒体のデータ領域に記録することで構成されて、ここで
各クリップファイルは前記ビデオデータストリームで共通再生経路部分と特定再生経路部分のうちいずれか一つと連係されることを特徴とする方法。
【請求項１３】
記録媒体に記録された少なくとも多重再生経路ビデオデータの再生を管理するためのデータ構造を再生する方法において、
少なくともビデオデータストリームのクリップファイルを前記記録媒体から再生することで構成されて、ここで
各クリップファイルは前記ビデオデータストリームで共通再生経路部分と特定再生経路部分のうちいずれか一つと連係されることを特徴とする方法。
【請求項１４】
少なくとも多重再生経路ビデオデータの再生を管理するためのデータ構造を記録媒体に記録する装置において、
前記記録媒体にデータを記録する光記録手段を駆動する駆動器と；
少なくとも多重再生経路ビデオデータをエンコーディングするためのエンコーダー；及び
少なくともビデオデータストリームのクリップファイルを前記記録媒体のデータ領域に記録するように前記駆動器を制御する制御器を含んで構成されて、ここで
各クリップファイルは前記ビデオデータストリームで共通再生経路部分と特定再生経路部分のうちいずれか一つと連係されることを特徴とする装置。
【請求項１５】
記録媒体に記録された少なくとも多重再生経路ビデオデータの再生を管理するためのデータ構造を再生する装置において、
記録媒体に記録されたデータを再生する光再生手段を駆動する駆動器；及び
少なくともビデオデータストリームのクリップファイルを前記記録媒体から再生するように前記駆動器を制御する制御器を含んで構成されて、ここで
各クリップファイルは前記ビデオデータストリームで共通再生経路部分と特定再生経路部分のうちいずれか一つと連係されることを特徴とする装置。
【発明の詳細な説明】
【技術分野】
【０００１】
本発明は記録された多重再生経路ビデオデータの再生を管理するためのデータ構造を有する記録媒体、前記多重再生経路ビデオデータを再生して記録するための装置及び方法に関する。
【背景技術】
【０００２】
最近には、高画質のビデオデータと高音質のオーディオデータを高容量記録できる新しい高密度再生専用または再起録可能光ディスクに対する規格化作業が急速に展開されて、再起録可能ブルーレイディスク（ＢＤ−ＲＥ：Ｂｌｕ−ｒａｙ  Ｄｉｓｃ  Ｒｅｗｒｉｔａｂｌｅ）のような新しい光ディスクと関連した製品がまもなく商用化されることと期待されている。
【０００３】
図１は、再起録可能ブルーレイディスク（ＢＤ−ＲＥ）のファイル構造を示したものである。前記ファイル構造またはデータ構造は前記ＢＤ−ＲＥに記録されるビデオオーディオデータの再生を管理するために提供される。図１に示したように、データ構造は少なくとも一つ以上の’ＢＤＡＶ’ディレクトリ（Ｄｉｒｅｃｔｏｒｙ）を有するルートディレクトリを含む。前記’ＢＤＡＶ’ディレクトリには’ｉｎｆｏ．ｂｄａｖ’、’ｍｅｎｕ．ｔｉｄｘ’、’ｍａｒｋ．ｔｉｄｘ’、’＊．ｒｐｌｓ’、及び’＊．ｖｐｌｓ’のようなプレーリストファイルが貯蔵されるＰＬＡＹＬＩＳＴサブディレクトリ（ｓｕｂｄｉｒｅｃｔｏｒｙ）、’＊．ｃｌｐｉ’のようなクリップ情報ファイルが貯蔵されるＣＬＩＰＩＮＦサブディレクトリ、そして前記クリップ情報ファイルに対応するＭＰＥＧ−２フォーマットのＡ／Ｖストリームクリップファイルが貯蔵されるＳＴＲＥＡＭサブディレクトリが含まれる。図１は、前記ディスクのデータ構造だけでなくディスクの領域を見せてくれる。例えば、’ｉｎｆｏ．ｂｄａｖ’のような一般情報ファイルは前記ディスクの一般情報領域に貯蔵される。
【０００４】
図１に図示したＢＤ−ＲＥのデータ構造とディスクフォーマットは広く知られて容易に利用できるので、以後ファイル構造に対しては簡単に説明する。
【０００５】
前述したように、ＳＴＲＥＡＭディレクトリにはクリップ（Ｃｌｉｐ）またはクリップファイルと呼ばれるＭＰＥＧ−２フォーマットのＡ／Ｖストリームファイルが含まれて、またブリッジ−クリップＡ／Ｖストリームファイル（Ｂｒｉｄｇｅ−ｃｌｉｐ  Ａ／Ｖ  ｓｔｒｅａｍ  ｆｉｌｅ）という特別な形態のクリップも含まれることができる。ブリッジ−クリップはクリップのうちから選択された二つ以上の再生区間を滑らかに連結するために使われて、一般に前記クリップに比べて大きさが小さい。前記Ａ／Ｖストリームにはビデオオーディオデータに対するソースパケット（Ｓｏｕｒｃｅ  Ｐａｃｋｅｔｓ）が含まれる。例えば、前記ビデオオーディオデータに対するソースパケットにはヘッダー（Ｈｅａｄｅｒ）と伝送パケット（Ｔｒａｎｓｐｏｒｔ  Ｐａｃｋｅｔ）が含まれる。一つのソースパケットには自身に接近するための住所役割をするソースパケット番号（ＳＰＮｓ：Ｓｏｕｒｃｅ  Ｐａｃｋｅｔ  Ｎｕｍｂｅｒｓ）が含まれるが、前記ソースパケット番号は一般に次々と番号が割り当てられる。伝送パケットには一つのパケットＩＤ（ＰＩＤ：Ｐａｃｋｅｔ  Ｉｄｅｎｔｉｆｉｅｒ）が含まれるが、前記ＰＩＤは伝送パケットが属する一連の伝送パケット（Ｓｅｑｕｅｎｃｅ  ｏｆ  Ｔｒａｎｓｐｏｒｔ  Ｐａｃｋｅｔｓ）を識別して、前記一連の伝送パケットにある各伝送パケットはＰＩＤが同じである。以後、前記一連の伝送パケットを伝送パケットシーケンスという。
【０００６】
前記ＣＬＩＰＩＮＦディレクトリには各Ａ／Ｖストリームファイルに連係するクリップ情報ファイルが含まれる。前記クリップ情報ファイルは連係するＡ／Ｖストリームの類型、シーケンス情報（Ｓｅｑｕｅｎｃｅ  Ｉｎｆｏｒｍａｔｉｏｎ）、プログラム情報、そしてタイミング情報を指す。前記シーケンス情報は到着時間基準（Ａｒｒｉｖａｌ  Ｔｉｍｅ  Ｂａｓｉｓ、ＡＴＣ）シーケンスとシステム時間基準（Ｓｙｓｔｅｍ  Ｔｉｍｅ  Ｂａｓｉｓ、ＳＴＣ）シーケンスを記述する。例えば、前記シーケンス情報はシーケンスの数、各シーケンスの開始と終わり時間情報、各シーケンスで一番目ソースパケットの住所、そして各シーケンスにある伝送パケットのＰＩＤを指す。プログラムのコンテンツが続く伝送パケットシーケンスはプログラムシーケンスと呼ばれる。前記プログラム情報はプログラムシーケンスの個数、各プログラムシーケンスの開始住所、そしてプログラムシーケンスにある伝送パケットのＰＩＤを指す。
【０００７】
タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。前記ＣＰＩの一形態がエントリーポイントマップ（Ｅｎｔｒｙ  Ｐｏｉｎｔ（ＥＰ）Ｍａｐ）である。前記ＥＰマップは、例えば、到着時間ＡＴＣ及び／またはシステム時間ＳＴＣを基準にして、ソースパケットの住所（例えば、ソースパケットの番号）に対するタイムスタンプ（Ｔｉｍｅ  Ｓｔａｍｐ）を表示する。前記プレゼンテーションタイムスタンプ（ＰＴＳ）とソースパケット番号（ＳＰＮ）はＡ／ＶストリームのＥＰと関連される。すなわち、前記ＰＴＳと関連されたＳＰＮはＡ／Ｖストリーム上のＥＰを指し示す。前記指し示されるパケットはたびたびエントリーポイントパケットと呼ばれる。
【０００８】
ＰＬＡＹＬＩＳＴディレクトリには一つ以上のプレーリストファイルがある。プレーリストは再生のためのクリップを容易に編集したり組み合わせるために導入された概念である。プレーリストファイルはクリップにある再生区間（Ｐｌａｙｉｎｇ  Ｉｎｔｅｒｖａｌｓ）の集合であって、各再生区間はプレーアイテム（Ｐｌａｙｉｔｅｍ）と呼ばれる。前記プレーリストファイルはプレーリストを形成する各プレーアイテムを識別して、各プレーアイテムは、クリップの時間軸上の位置（例えば、ＡＴＣまたはＳＴＣ基準でプレゼンテーションタイムスタンプ（ＰＴＳｓ：Ｐｒｅｓｅｎｔａｔｉｏｎ  Ｔｉｍｅ  Ｓｔａｍｐ））を指すＩＮ−ｐｏｉｎｔとＯＵＴ−ｐｏｉｎｔの対である。換言すれば、プレーリストファイルはプレーアイテムを識別して、各プレーアイテムは一つのクリップまたはその一部を指してクリップと連係するクリップ情報ファイルを識別する。前記クリップ情報ファイルは前記プレーアイテムをソースパケットのクリップに連結（Ｍａｐ）するために使われる。
【０００９】
ＰＬＡＹＬＩＳＴディレクトリには実際プレーリスト（Ｒｅａｌ  Ｐｌａｙｌｉｓｔ）（＊．ｒｐｌｓ）と仮想プレーリスト（Ｖｉｒｔｕａｌ  Ｐｌａｙｌｉｓｔ）（＊．ｖｐｌｓ）が含まれることができる。実際プレーリストはクリップだけを用いてブリッジ−クリップは用いることができない。すなわち、実際プレーリストはクリップの一部を参照することと見なされるので、概念的にディスク上でクリップの一部を参照することと同等なことに見なされる。仮想プレーリストはクリップとブリッジ−クリップをすべて用いることができるので、実際プレーリストの概念は仮想プレーリストと併行しない。
【００１０】
’ｉｎｆｏ．ｂｄａｖ’ファイルは光ディスクに記録されるＡ／Ｖストリームの再生を管理する一般的な情報を提供する一般情報ファイルであって、さらに詳細には同じＢＤＡＶディレクトリのＰＬＡＹＬＩＳＴディレクトリにあるプレーリストのファイル名を識別するプレーリスト目録を含む。
【００１１】
’ｍｅｎｕ．ｔｉｄｘ’、’ｍｅｎｕ．ｔｄｔ１’、及び’ｍｅｎｕ．ｔｄｔ２’ファイルはメニューｔｈｕｍｂｎａｉｌｓと関連した情報を貯蔵する。’ｍａｒｋ．ｔｉｄｘ’、’ｍａｒｋ．ｔｄｔ１’、及び’ｍａｒｋ．ｔｄｔ２’ファイルはマークｔｈｕｍｂｎａｉｌｓと関連した情報を貯蔵する。このようなファイルは本発明と直接的な関連がないので、これ以上詳細な説明は省略する。
【００１２】
最近にはブルーレイロム（ＢＤ−ＲＯＭ：Ｂｌｕ−ｒａｙ  ＲＯＭ）のような高密度再生専用光ディスクに対する規格化作業が進行中にある。しかし、ＢＤ−ＲＯＭのような高密度再生専用光ディスクに記録されるビデオオーディオデータの再生を管理するデータ構造に対する効率的な解決方案がまだ用意されていない。
【発明の開示】
【００１３】
したがって、本発明は前記のような実情を勘案して創作されたものであって、本発明による記録媒体には前記記録媒体に記録された少なくとも多重再生経路ビデオデータ（例えば、他のカメラアングルのビデオデータ）の再生を管理するデータ構造が含まれる。
【００１４】
本発明の一実施形態で、前記記録媒体には少なくともビデオデータストリームのクリップファイルを保存するデータ領域が含まれる。各クリップファイルは前記ビデオデータストリームで共通再生経路部分と特定再生経路部分のうちいずれか一つと連係される。一例で、前記クリップファイルはインターリーブされる。例えば、特定再生経路部分と連係されるクリップファイルは共通再生経路部分と連係されるクリップファイル間にインターリーブされる。
【００１５】
他の例で、前記クリップファイルは、前記クリップファイルを再生する間再生装置のバッファーがアンダーフロー（Ｕｎｄｅｒ−ｆｌｏｗｉｎｇ）されないようにするサイズを有する。また他の例で、前記クリップファイルは、前記クリップファイルを再生する間再生装置のバッファーがオーバーフロー（Ｏｖｅｒ−ｆｌｏｗｉｎｇ）されないようにするサイズを有する。
【００１６】
また、本発明によるデータ構造を記録して再生するための装置と方法が提示される。
【発明を実施するための最良の形態】
【００１７】
以下、本発明に対する望ましい実施形態に対して、添付した図面を参照しながら詳細に説明する。
【００１８】
本発明による高密度光ディスク、例えばＢＤ−ＲＯＭ、ＢＤ−ＲＥ等は、図２に示したように、ビデオオーディオデータの再生を管理するファイルまたはデータ構造を有する。図２のような本発明によるデータ構造はいろいろな面で図１に図示したＢＤ−ＲＥのデータ構造と同様である。したがって、同様の部分は詳細な説明を省略する。
【００１９】
図２に示したように、ルートディレクトリには少なくとも一つ以上のＤＶＰディレクトリがある。前記ＤＶＰディレクトリには一般情報ファイル（ｉｎｆｏ．ｄｖｐ）、メニューファイル（ｍｅｎｕ．ｔｉｄｘ、ｍｅｎｕ．ｔｄｔ１等）、実際プレーリストファイル（＊．ｒｐｌｓ）と仮想プレーリストファイル（＊．ｖｐｌｓ）が貯蔵されるＰＬＡＹＬＩＳＴディレクトリ、クリップ情報ファイル（＊．ｃｌｐｉ）が貯蔵されるＣＬＩＰＩＮＦディレクトリ、そしてクリップ情報ファイルに対応するＭＰＥＧ−２フォーマットのＡ／Ｖストリームクリップファイル（＊．ｍ２ｔｓ）が貯蔵されるＳＴＲＥＡＭディレクトリが含まれる。
【００２０】
前記ＳＴＲＥＡＭディレクトリにはクリップまたはクリップファイルと呼ばれるＭＰＥＧ−２フォーマットのＡ／Ｖストリームクリップファイルが含まれる。前記Ａ／Ｖストリームにはビデオオーディオデータに対するソースパケットが含まれる。例えば、前記ビデオオーディオデータに対するソースパケットにはヘッダーと伝送パケットが含まれる。一つのソースパケットには自身に接近するための住所役割をするソースパケット番号ＳＰＮが含まれるが、前記ソースパケット番号は一般に次々と番号が割り当てられる。伝送パケットには一つのパケットＩＤ  ＰＩＤが含まれるが、前記ＰＩＤは伝送パケットが属する伝送パケットシーケンスを識別して、前記伝送パケットシーケンスにある各伝送パケットはＰＩＤが同じである。
【００２１】
前記ＣＬＩＰＩＮＦディレクトリには各Ａ／Ｖストリームファイルに連係するクリップ情報ファイルが含まれる。前記クリップ情報ファイルは連係するＡ／Ｖストリームの類型、シーケンス情報、プログラム情報、そしてタイミング情報を指す。前記シーケンス情報は到着時間基準ＡＴＣシーケンスとシステム時間基準ＳＴＣシーケンスを記述する。例えば、前記シーケンス情報はシーケンスの数、各シーケンスの開始と終わり時間情報、各シーケンスで一番目ソースパケットの住所、そして各シーケンスにある伝送パケットのＰＩＤを指す。プログラムのコンテンツが続く伝送パケットシーケンスはプログラムシーケンスと呼ばれる。前記プログラム情報はプログラムシーケンスの個数、各プログラムシーケンスの開始住所、そしてプログラムシーケンスにある伝送パケットのＰＩＤを指す。
【００２２】
タイミング情報は特徴ポイント情報（ＣＰＩ）と呼ばれる。前記ＣＰＩの一形態がＥＰマップである。前記ＥＰマップは、例えば、到着時間ＡＴＣ及び／またはシステム時間ＳＴＣを基準にして、ソースパケットの住所（例えば、ソースパケットの番号）に対するタイムスタンプを表示する。前記プレゼンテーションタイムスタンプ（ＰＴＳ）とソースパケット番号（ＳＰＮ）はＡ／ＶストリームのＥＰと関連される。すなわち、前記ＰＴＳと関連されたＳＰＮはＡ／Ｖストリーム上のＥＰを指し示す。前記指し示されるパケットはたびたびエントリーポイントパケットと呼ばれる。
【００２３】
ＰＬＡＹＬＩＳＴディレクトリには一つ以上のプレーリストファイルがある。プレーリストは再生のためのクリップを容易に編集したり組み合わせるために導入された概念である。プレーリストファイルはクリップにある再生区間（Ｐｌａｙｉｎｇ  Ｉｎｔｅｒｖａｌｓ）の集合であって、各再生区間はプレーアイテム（Ｐｌａｙｉｔｅｍ）と呼ばれる。前記プレーリストファイルはプレーリストを形成する各プレーアイテムを識別して、各プレーアイテムはクリップの時間軸上の位置（例えば、ＡＴＣまたはＳＴＣ基準でプレゼンテーションタイムスタンプ）を指すＩＮ−ｐｏｉｎｔとＯＵＴ−ｐｏｉｎｔの対である。換言すれば、プレーリストファイルはプレーアイテムを識別して、各プレーアイテムは一つのクリップまたはその一部を指してクリップと連係するクリップ情報ファイルを識別する。前記クリップ情報ファイルは前記プレーアイテムをソースパケットのクリップに連結するために使われる。
【００２４】
ＰＬＡＹＬＩＳＴディレクトリには実際プレーリスト（Ｒｅａｌ  Ｐｌａｙｌｉｓｔ）（＊．ｒｐｌｓ）と仮想プレーリスト（Ｖｉｒｔｕａｌ  Ｐｌａｙｌｉｓｔ）（＊．ｖｐｌｓ）が含まれることができる。実際プレーリストはクリップだけを用いてブリッジ−クリップは用いることができない。すなわち、実際プレーリストはクリップの一部を参照することと見なされるので、概念的にディスク上でクリップの一部を参照することと同等なことに見なされる。仮想プレーリストはクリップとブリッジ−クリップをすべて用いることができるので、実際プレーリストの概念は仮想プレーリストと併行しない。
【００２５】
’ｉｎｆｏ．ｄｖｐ’ファイルは光ディスクに記録されるＡ／Ｖストリームの再生を管理する一般的な情報を提供する一般情報ファイルであって、さらに詳細にはＰＬＡＹＬＩＳＴディレクトリにあるプレーリストのファイル名を識別するプレーリスト目録を含む。前記’ｉｎｆｏ．ｄｖｐ’ファイルに対しては本発明の実施形態と関連して次にさらに詳細に説明する。
【００２６】
図２では、本発明の実施形態によって記録媒体のデータ構造を図示するだけでなく、記録媒体の領域を見せている。例えば、一般情報ファイルは一つ以上の一般情報領域に記録されて、プレーリストディレクトリは一つ以上のプレーリストディレクトリ領域に記録されて、プレーリストディレクトリ内の各プレーリストは前記記録媒体の一つ以上のプレーリスト領域に記録される。図２のデータ構造を有する記録媒体に対して例示している図３に示したように、前記記録媒体にはファイルシステム情報領域、データベース（Ｄａｔａｂａｓｅ）領域、そしてＡ／Ｖストリーム領域が含まれる。前記データベース領域には一般情報ファイルとプレーリスト情報が記録される領域とクリップ情報領域が含まれる。前記一般情報ファイルとプレーリスト情報が記録される領域には、一般情報ファイル領域の一般情報ファイルと、プレーリスト情報領域のＰＬＡＹＬＩＳＴディレクトリとプレーリストファイルが記録される。前記クリップ情報領域には、ＣＬＩＰＩＮＦディレクトリと、関連クリップ情報ファイルが記録される。前記Ａ／Ｖストリーム領域には多様なタイトルのＡ／Ｖストリームが記録される。
【００２７】
ビデオオーディオデータは一般に個別タイトルで編成されている。例えば、ビデオオーディオデータにより表現される他の映画は他のタイトルで編成される。また、タイトルは、本がチャプター（Ｃｈａｐｔｅｒｓ）で編成されるようにいろいろなチャプターで編成できる。
【００２８】
ＢＤ−ＲＯＭ、ＢＤ−ＲＥ等のような新しい高密度記録媒体の貯蔵容量が非常に大きいため、他のタイトル、いろいろなバージョンのタイトルがまたは一タイトルの一部が貯蔵されて再生できる。例えば、他のカメラ角度のビデオデータが記録媒体に記録されたり、他の実施形態で、タイトルに対するいろいろなバージョンまたは他の言語と関連した一部も前記記録媒体に記録されることができて、また他の実施形態で、タイトルに対する監督バージョン（Ｄｉｒｅｃｔｏｒ’ｓ  Ｖｅｒｓｉｏｎ）または映画館用バージョンも前記記録媒体に記録されることができる。または、一タイトルの完全成人バージョン、準成人バージョン、そして父母が制限できる青少年バージョンなどが前記記録媒体に記録されることができる。各バージョン、各カメラアングル等は他の再生経路を有して、このような場合のビデオデータは多重再生経路ビデオデータ（Ｍｕｌｔｉｐｌｅ  Ｒｅｐｒｏｄｕｃｔｉｏｎ  Ｐａｔｈ  Ｖｉｄｅｏ  Ｄａｔａ）と呼ばれる。多重経路ビデオデータに対する前記例に限られなくて、本発明は多重再生経路ビデオデータのある類型またはこれらの組合に対しても適用が可能である。以後実施形態で詳細に叙述されるだろうが、本発明のデータ構造は、記録媒体に記録される多重再生経路ビデオデータの再生を管理するために、経路管理情報、ナビゲーション情報を含んだり体系化されている。
【００２９】
図２によるデータ構造で使われる再生経路管理データ構造に関する１番目実施形態を図４を参照にして説明する。
【００３０】
本来データストリームにはすべての再生経路に共通であるビデオデータ部分と特定再生経路に特定のビデオデータ部分が含まれる。本発明の一実施形態では、前記各部分が前記記録媒体にクリップファイルで保存される。さらに詳細に、前記クリップファイルは前記記録媒体にインターリーブされて保存されることができる。図４は先に説明した本発明の実施形態が図示されている。
【００３１】
図４に示したように、本来データストリームは共通経路データ部分、第１再生経路データ部分、他の共通経路データ部分、第２再生経路データ部分の順序で前記記録媒体（例えば、ＢＤ−ＲＯＭ）に記録される。前記第１共通経路データ部分は第１クリップファイルＣｌｉｐ  Ｆｉｌｅ  ＃１で管理されて、第１再生経路データ部分は第２クリップファイルＣｌｉｐ  Ｆｉｌｅ  ＃２で管理されて、第２共通経路データ部分は第３クリップファイルＣｌｉｐ  Ｆｉｌｅ  ＃３で管理されて、そして第２再生経路データ部分は第４クリップファイルＣｌｉｐ  Ｆｉｌｅ  ＃４で管理される。
【００３２】
前記第１ないし第４クリップファイルＣｌｉｐ  Ｆｉｌｅ  ＃１〜Ｃｌｉｐ  Ｆｉｌｅ  ＃４は前記記録媒体に物理的にインターリーブされた状態で記録される。図示したように、第１クリップファイルの第１共通経路データ部分、第２クリップファイルの第１再生経路データ部分、第４クリップファイルの第２再生経路データ部分、及び第３クリップファイルの第２共通経路データ部分の順序で物理的に続いて記録される。
【００３３】
したがって、前記第２クリップファイルの第１再生経路データ部分と第４クリップファイルの第２再生経路データ部分が前記第１クリップファイルの第１共通経路データ部分と第３クリップファイルの第２共通経路データ部分間にインターリーブされた状態で記録される。
【００３４】
光ディスク再生装置のユーザーの要求によって第２経路のデータに対する再生が指定される場合、前記光ディスク装置では、図４に示したように、第１クリップファイルの第１共通経路データ部分を読み出して再生して、第４クリップファイルの第２再生経路データ部分へのジャンプ動作を遂行して第２再生経路データ部分を読み出して再生する。以後、前記光ディスク装置では、第３クリップファイルの第２共通経路データ部分を読み出して再生する。したがって、前記ユーザーは希望する再生経路のデータストリームを選択的に再生することができる。
【００３５】
各クリップファイルの長さは、一つのクリップファイルから他のクリップファイルへのジャンピング動作間バッファーアンダーフローが発生しなくてバッファーサイズがあまり大きくならないように、適当に設定されなければならない。例えば、クリップファイルの長さがあまり短い場合、ビックジャンプ（Ｂｉｇ  Ｊｕｍｐ）動作で前記再生装置にバッファーアンダーフローが発生することができて、また相対的に多くの数のクリップファイルを管理する短所がある。
【００３６】
反面、クリップファイルの長さがあまり長い場合、読み出したデータストリームを臨時に保存するためのバッファーサイズが大きくなって再生装置の価格が相当に増加することができる。このような理由で、バッファーアンダーフロー、バッファーサイズ、クリップファイルの記録と管理の効率性を考慮して、各クリップファイルの長さが決まる。
【００３７】
本発明の他の実施形態はこのような要素を考慮してクリップファイルのサイズを最大ファイルサイズ（Ｃｌｉｐ  Ｆｉｌｅ_Ｍａｘ  Ｓｉｚｅ）に制限する。結果的に、本来データストリームの一つまたはそれ以上のデータ部分が一つより多くのクリップファイルで保存されることができる。
【００３８】
図５ではこの実施形態に対して図示している。図示したように、本来データストリームは共通経路データ部分、第１再生経路データ部分、他の共通経路データ部分、第２再生経路データ部分の順序で前記記録媒体（例えば、ＢＤ−ＲＯＭ）に記録される。前記第１共通経路データ部分は第１クリップファイルＣｌｉｐ  Ｆｉｌｅ  ＃１で管理される。しかし、前記第１再生経路データ部分には最大ファイルサイズ（Ｃｌｉｐ  Ｆｉｌｅ_Ｍａｘ  Ｓｉｚｅ）を超過するデータが含まれる。したがって、前記第１再生経路データ部分は一つ以上のクリップファイルに分けられて、各クリップファイルには前記最大ファイルサイズ（Ｃｌｉｐ  Ｆｉｌｅ_Ｍａｘ  Ｓｉｚｅ）より少ないデータが含まれる。図５の例で、前記第１再生経路データ部分は第２クリップファイルＣｌｉｐ  Ｆｉｌｅ  ＃２と第３クリップファイルＣｌｉｐ  Ｆｉｌｅ  ＃３で管理される。前記第２共通経路データ部分は第４クリップファイルＣｌｉｐ  Ｆｉｌｅ  ＃４で管理されて、第２再生経路データ部分は第５クリップファイルＣｌｉｐ  Ｆｉｌｅ  ＃５で管理される。
【００３９】
前記第１ないし第５クリップファイルＣｌｉｐ  Ｆｉｌｅ  ＃１〜Ｃｌｉｐ  Ｆｉｌｅ  ＃５は前記記録媒体に物理的にインターリーブされた状態で記録される。図示したように、第１クリップファイルの第１共通経路データ部分、第２クリップファイルの第１再生経路データ部分、第５クリップファイルの第２再生経路データ部分、第３クリップファイルの第１再生経路データ部分、及び第４クリップファイルの第２共通経路データ部分の順序で物理的に続いて記録される。
【００４０】
したがって、前記第２クリップファイルと第３クリップファイルの第１再生経路データ部分と第５クリップファイルの第２再生経路データ部分が前記第１クリップファイルの第１共通経路データ部分と第４クリップファイルの第２共通経路データ部分間にインターリーブされた状態で記録される。
【００４１】
光ディスク再生装置のユーザーの要求によって第２経路のデータに対する再生が指定される場合、前記光ディスク装置では、図５に示したように、第１クリップファイルの第１共通経路データ部分を読み出して再生して、第５クリップファイルの第２再生経路データ部分へのジャンプ動作を遂行して第２再生経路データ部分を読み出して再生する。以後、前記光ディスク装置では、第４クリップファイルの第２共通経路データ部分を読み出して再生する。したがって、前記ユーザーは希望する再生経路のデータストリームを選択的に再生することができる。
【００４２】
図６は、本発明による光ディスク記録及び再生装置に対する構成を示したものである。Ａ／Ｖエンコーダー９は、オーディオビデオデータを入力受けてエンコーディングして、コーディング情報とストリーム特性情報と共に多重化装置（Ｍｕｌｔｉｐｌｅｘｅｒ、８）で出力する。多重化装置８は、例えば、ＭＰＥＧ−２伝送ストリーム（ＭＰＥＧ−２  ｔｒａｎｓｐｏｒｔ  ｓｔｒｅａｍ）を作るために、前記入力されるコーディング情報とストリーム特性情報を基礎にして前記エンコーディングされたオーディオビデオデータを多重化する。ソース・パケッタイザー（Ｓｏｕｒｃｅ  ｐａｃｋｅｔｉｚｅｒ、７）は前記多重化装置から入力される伝送パケットを光ディスクのオーディオビデオフォーマットに合うソースパケットでパケット化する。図６に示したように、前記Ａ／Ｖエンコーダー９、前記多重化装置８、そして前記ソース・パケッタイザー７の動作は制御器１０により操縦される。前記制御器１０がユーザーから記録命令を受信すれば、前記Ａ／Ｖエンコーダー９、前記多重化装置８、そして前記ソース・パケッタイザー７に制御情報を送る。例えば、前記制御器１０は、前記Ａ／Ｖエンコーダー９に実行するエンコーディング類型を指示して、前記多重化装置８に作りだす伝送ストリームを指示して、そして前記ソース・パケッタイザー７にソースパケットのフォーマットを指示する。また、前記制御器１０は光ディスクに前記ソース・パケッタイザー７の出力を記録できるように駆動器３を制御する。
【００４３】
また、前記制御器１０は光ディスクに記録されているオーディオビデオデータの再生を管理するためのナビゲーション（Ｎａｖｉｇａｔｉｏｎ）情報、管理情報などを作りだす。例えば、ユーザーとのインターフェース（ディスクに貯蔵されていたりイントラネットまたはインターネットを介して提供する命令語）を介して受けた情報を基礎にして、前記制御器１０は前記光ディスクに図２、 図４、及び図５のデータ構造を記録するように前記駆動器３を制御する。
再生する期間には、前記制御器１０はデータ構造を再生するように前記駆動器３を制御する。すなわち、ディスクに含まれた情報とユーザーインターフェース（記録及び再生装置の操作ボタンまたは前記装置と関連した遠隔操縦）を介して受けたユーザー入力を基礎にして、前記制御器１０は前記光ディスクからオーディオビデオソースパケットを再生するように前記駆動器３を制御する。例えば、前記ユーザー入力は再生する経路を指定できる。このようなユーザー入力は、例えば、前記制御器１０にあらかじめプログラムされたＧＵＩ（Ｇｒａｐｈｉｃａｌ  Ｕｓｅｒ  Ｉｎｔｅｒｆａｃｅ）基盤のメニューを介して、指定されることができる。前記ユーザー入力と光ディスクから読み出す経路管理または変更情報を利用して、前記制御器１０は、本発明の実施形態に対して前で詳細に説明したように、前記指定された経路の再生または指定された経路再生の変更を制御する。
【００４４】
ソース・デパケッタイザー（Ｓｏｕｒｃｅ  Ｄｅｐａｃｋｅｔｉｚｅｒ、４）は再生されたソースパケットを入力受けてＭＰＥＧ−２伝送パケットストリームのようなデータストリームに転換する。多重分離装置（Ｄｅｍｕｌｔｉｐｌｅｘｅｒ、５）は前記データストリームをエンコーディングされたビデオオーディオデータに逆多重化する。Ａ／Ｖデコーダー６はエンコーディングされたビデオオーディオデータをデコーディングして元来のビデオオーディオデータに作る。再生する期間、前記ソース・デパケッタイザー４、前記多重分離装置５、そして前記Ａ／Ｖデコーダー６の動作は前記制御器１０により操縦される。前記制御器１０がユーザーから再生命令を受信すれば、前記ソース・デパケッタイザー４、前記多重分離装置５、そして前記Ａ／Ｖデコーダー６に制御情報を送る。例えば、前記制御器１０は、前記ソース・デパケッタイザー４にソースパケットのフォーマットを指示して、前記多重化装置５に逆多重化する伝送ストリームを指示して、そして前記Ａ／Ｖデコーダー６に実行するデコーディング類型を指示する。
【００４５】
図６には記録と再生装置に関して図示しているが、図６の構成要素一部だけで記録動作または再生作動だけ提供する専用記録装置または専用再生装置も可能である。
【００４６】
したがって、前記のように構成される本発明は、ユーザーが選択した経路のデータストリームに迅速で正確にジャンプして再生することができるようにして多重経路データストリームの記録効率の低下を最小にする高密度光ディスクに対する多重再生経路データストリーム管理方法を提供する。
【００４７】
また、前記のように構成される本発明は、多重再生経路を基盤にしてビデオデータのナビゲーション再生を管理及び／または制御することができるようにすることによって、従来の方法に比べてさらに柔軟にビデオデータを再生することができるようになる。
【００４８】
以上、前述した本発明の望ましい実施形態は例示の目的のために開示されたものであって、前記ＢＤ−ＲＯＭ以外の他の光ディスクにも拡大適用が可能であり、また当業者ならば以下添付された特許請求範囲に開示された本発明の技術的思想とその技術的範囲内において、多様な他の実施形態を改良、変更、代替または付加などが可能であるはずだ。
【図面の簡単な説明】
【００４９】
【図１】再記録可能ブルーレイディスク（ＢＤ−ＲＥ）の規格による再記録可能光ディスクのファイルまたはデータ構造を示したものである。
【図２】本発明による記録媒体のファイルまたはデータ構造に対する実施形態を示したものである。
【図３】図２のデータ構造を有する記録媒体に対する実施形態を示したものである。
【図４】図２のデータ構造で使われる再生経路管理と連係されるデータ構造に対する実施形態を示したものである。
【図５】図２のデータ構造で使われる再生経路管理と連係されるデータ構造に対する実施形態を示したものである。
【図６】本発明による光ディスク記録及び再生装置に対する構成を示したものである。
【図１】
2006507620.tif 000003
【図２】
2006507620.tif 000004
【図３】
2006507620.tif 000005
【図４】
2006507620.tif 000006
【図５】
2006507620.tif 000007
【図６】
2006507620.tif 000008
【国際調査報告】
2006507620.tif 000009
2006507620.tif 000010